【手続補正書】
【提出日】平成17年2月14日(2005.2.14)
【手続補正１】
【補正対象書類名】明細書
【補正対象項目名】発明の名称
【補正方法】変更
【補正の内容】
【発明の名称】ＩＰ電話サーバ接続プログラム、ＩＰ電話プログラム、ＩＰ電話サーバ接続装置、ＩＰ電話装置、ＩＰ電話サーバ接続方法
【手続補正２】
【補正対象書類名】明細書
【補正対象項目名】特許請求の範囲
【補正方法】変更
【補正の内容】
【特許請求の範囲】
【請求項１】
コンピュータに、ＩＰ電話装置間の接続をするためのＩＰアドレスを取得させるためのＩＰ電話サーバ接続プログラムであって、
前記コンピュータに、
接続要求のあったＩＰ電話装置から受信した地域特定情報により、ＩＰ電話装置の所在地を特定する地域特定情報とＩＰアドレスとを対応付けた地域特定情報／ＩＰアドレス対応表を検索し、接続すべきＩＰ電話装置のＩＰアドレスを取得するＩＰアドレス検索機能と、
前記ＩＰアドレス検索機能によって取得されたＩＰアドレスを前記接続要求のあったＩＰ電話装置に送信するＩＰアドレス送信機能と、
を実現させるためのＩＰ電話サーバ接続プログラム。
【請求項２】
コンピュータをＩＰ電話装置として機能させるためのプログラムであって、
前記コンピュータに、
所定の電話番号が入力された場合に、ＩＰ電話サーバ装置へ自ＩＰ電話装置の所在地を示す地域特定情報を送信する地域特定情報送信機能と、
前記ＩＰ電話サーバ装置から受信したＩＰアドレスに接続要求する電話接続要求機能と、
を実現させるためのＩＰ電話プログラム。
【請求項３】
前記所定の電話番号を前記ＩＰ電話サーバ装置のＩＰアドレスに置換するＩＰアドレス置換機能をさらに含み、
前記地域特定情報送信機能は、前記ＩＰアドレス置換機能によって置換されたＩＰ電話サーバ装置のＩＰアドレスに前記地域特定情報を送信することを特徴とする請求項２に記載のＩＰ電話プログラム。
【請求項４】
ＩＰ電話装置間の接続をするためのＩＰアドレスを取得するためのＩＰ電話サーバ接続装置であって、
ＩＰ電話装置の所在地を特定する地域特定情報とＩＰアドレスとを対応付けた地域特定情報／ＩＰアドレス対応表を保持する地域特定情報／ＩＰアドレス対応表保持手段と、
接続要求のあったＩＰ電話装置から受信した地域特定情報により、前記地域特定情報／ＩＰアドレス対応表保持手段によって保持された地域特定情報／ＩＰアドレス対応表を検索し、接続すべきＩＰ電話装置のＩＰアドレスを取得するＩＰアドレス検索手段と、
前記ＩＰアドレス検索手段によって取得されたＩＰアドレスを前記接続要求のあったＩＰ電話装置に送信するＩＰアドレス送信手段と、
を有することを特徴とするＩＰ電話サーバ接続装置。
【請求項５】
前記地域特定情報は、郵便番号であることを特徴とする請求項４に記載のＩＰ電話サーバ接続装置。
【請求項６】
所定の電話番号が入力された場合に、ＩＰ電話サーバ装置へ自ＩＰ電話装置の所在地を示す地域特定情報を送信する地域特定情報送信手段と、
前記ＩＰ電話サーバ装置から受信したＩＰアドレスに接続要求する電話接続要求手段と、
を有することを特徴とするＩＰ電話装置。
【請求項７】
ＩＰ電話装置間の接続をするためのＩＰアドレスを取得するためのＩＰ電話サーバ接続方法であって、
接続要求のあったＩＰ電話装置の所在地を示す地域特定情報により、ＩＰ電話装置の所在地を特定する地域特定情報とＩＰアドレスとを対応付けた地域特定情報／ＩＰアドレス対応表を検索し、接続すべきＩＰ電話装置のＩＰアドレスを取得するＩＰアドレス検索工程と、
前記ＩＰアドレス検索工程によって取得されたＩＰアドレスを前記接続要求のあったＩＰ電話装置に送信するＩＰアドレス送信工程と、
を有することを特徴とするＩＰ電話サーバ接続方法。
【手続補正３】
【補正対象書類名】明細書
【補正対象項目名】０００１
【補正方法】変更
【補正の内容】
【０００１】
この発明は、ＩＰ電話サーバ接続プログラム、ＩＰ電話プログラム、ＩＰ電話サーバ接続装置、ＩＰ電話装置、ＩＰ電話サーバ接続方法に関し、特に、発呼者の最寄の緊急電話等への接続を可能とするＩＰ電話サーバ接続プログラム、ＩＰ電話プログラム、ＩＰ電話サーバ接続装置、ＩＰ電話装置、ＩＰ電話サーバ接続方法に関する。
【手続補正４】
【補正対象書類名】明細書
【補正対象項目名】０００３
【補正方法】変更
【補正の内容】
【０００３】
例えば、特許文献１では、緊急電話先のＩＰアドレスがわかっているものとして、ＩＰ電話装置と緊急電話が接続された後、ＩＰ電話装置と緊急電話の接続が何らかの理由で切断された場合、緊急電話から一般公衆回線網を経由してＩＰ電話装置に再接続する従来技術が開示されている。
【手続補正５】
【補正対象書類名】明細書
【補正対象項目名】０００５
【補正方法】変更
【補正の内容】
【０００５】
【発明が解決しようとする課題】
しかしながら、上記の従来技術は、緊急電話から一般公衆回線を経由してＩＰ電話装置に再接続する技術であり、ＩＰアドレスが判っていることを前提としているので、この従来技術ではＩＰ電話装置から発呼者の最寄の緊急電話を選択し、接続することができないという問題点があった。
【手続補正６】
【補正対象書類名】明細書
【補正対象項目名】０００６
【補正方法】変更
【補正の内容】
【０００６】
そこで、この発明は、上述した従来技術による問題点を解決するためになされたものであり、発呼者の最寄の緊急電話等への接続を可能とするＩＰ電話サーバ接続プログラム、ＩＰ電話プログラム、ＩＰ電話サーバ接続装置、ＩＰ電話装置、ＩＰ電話サーバ接続方法を提供することを目的とする。
【手続補正７】
【補正対象書類名】明細書
【補正対象項目名】０００７
【補正方法】変更
【補正の内容】
【０００７】
【課題を解決するための手段】
上述した課題を解決し、目的を達成するため、請求項１の発明に係るＩＰ電話サーバ接続プログラムは、コンピュータに、ＩＰ電話装置間の接続をするためのＩＰアドレスを取得させるためのＩＰ電話サーバ接続プログラムであって、前記コンピュータに、接続要求のあったＩＰ電話装置から受信した地域特定情報により、ＩＰ電話装置の所在地を特定する地域特定情報とＩＰアドレスとを対応付けた地域特定情報／ＩＰアドレス対応表を検索し、接続すべきＩＰ電話装置のＩＰアドレスを取得するＩＰアドレス検索機能と、前記ＩＰアドレス検索機能によって取得されたＩＰアドレスを前記接続要求のあったＩＰ電話装置に送信するＩＰアドレス送信機能と、を実現させることを特徴とする。
【手続補正８】
【補正対象書類名】明細書
【補正対象項目名】０００８
【補正方法】変更
【補正の内容】
【０００８】
また、請求項４の発明に係るＩＰ電話サーバ接続装置は、ＩＰ電話装置間の接続をするためのＩＰアドレスを取得するためのＩＰ電話サーバ接続装置であって、ＩＰ電話装置の所在地を特定する地域特定情報とＩＰアドレスとを対応付けた地域特定情報／ＩＰアドレス対応表を保持する地域特定情報／ＩＰアドレス対応表保持手段と、接続要求のあったＩＰ電話装置から受信した地域特定情報により、前記地域特定情報／ＩＰアドレス対応表保持手段によって保持された地域特定情報／ＩＰアドレス対応表を検索し、接続すべきＩＰ電話装置のＩＰアドレスを取得するＩＰアドレス検索手段と、前記ＩＰアドレス検索手段によって取得されたＩＰアドレスを前記接続要求のあったＩＰ電話装置に送信するＩＰアドレス送信手段と、を有することを特徴とする。
【手続補正９】
【補正対象書類名】明細書
【補正対象項目名】０００９
【補正方法】変更
【補正の内容】
【０００９】
また、請求項７の発明に係るＩＰ電話サーバ接続方法は、ＩＰ電話装置間の接続をするためのＩＰアドレスを取得するためのＩＰ電話サーバ接続方法であって、接続要求のあったＩＰ電話装置の所在地を示す地域特定情報により、ＩＰ電話装置の所在地を特定する地域特定情報とＩＰアドレスとを対応付けた地域特定情報／ＩＰアドレス対応表を検索し、接続すべきＩＰ電話装置のＩＰアドレスを取得するＩＰアドレス検索工程と、前記ＩＰアドレス検索工程によって取得されたＩＰアドレスを前記接続要求のあったＩＰ電話装置に送信するＩＰアドレス送信工程と、を有することを特徴とする。
【手続補正１０】
【補正対象書類名】明細書
【補正対象項目名】００１０
【補正方法】変更
【補正の内容】
【００１０】
かかる発明によれば、接続要求のあったＩＰ電話装置の所在地を示す地域特定情報により、ＩＰ電話装置の所在地を特定する地域特定情報とＩＰアドレスとを対応付けた地域特定情報／ＩＰアドレス対応表を検索し、接続すべきＩＰ電話装置のＩＰアドレスを取得し、取得したＩＰアドレスを接続要求のあったＩＰ電話装置に送信することとしたので、発呼者の地域に対応する電話を選択し、接続することができる。
【手続補正１１】
【補正対象書類名】明細書
【補正対象項目名】００１１
【補正方法】変更
【補正の内容】
【００１１】
また、請求項２の発明に係るＩＰ電話プログラムは、コンピュータをＩＰ電話装置として機能させるためのプログラムであって、前記コンピュータに、所定の電話番号が入力された場合に、ＩＰ電話サーバ装置へ自ＩＰ電話装置の所在地を示す地域特定情報を送信する地域特定情報送信機能と、前記ＩＰ電話サーバ装置から受信したＩＰアドレスに接続要求する電話接続要求機能と、を実現させることを特徴とする。
【手続補正１２】
【補正対象書類名】明細書
【補正対象項目名】００１２
【補正方法】変更
【補正の内容】
【００１２】
また、請求項６の発明に係るＩＰ電話装置は、所定の電話番号が入力された場合に、ＩＰ電話サーバ装置へ自ＩＰ電話装置の所在地を示す地域特定情報を送信する地域特定情報送信手段と、前記ＩＰ電話サーバ装置から受信したＩＰアドレスに接続要求する電話接続要求手段と、を有することを特徴とする。
【手続補正１３】
【補正対象書類名】明細書
【補正対象項目名】００１３
【補正方法】変更
【補正の内容】
【００１３】
かかる発明によれば、所定の電話番号が入力された場合に、ＩＰ電話サーバ装置へ自ＩＰ電話装置の所在地を示す地域特定情報を送信し、ＩＰ電話サーバ装置から受信したＩＰアドレスに接続要求することとしたので、所定の電話番号を入力すれば、発呼者の地域に対応する電話に接続することができる。
【手続補正１４】
【補正対象書類名】明細書
【補正対象項目名】００１４
【補正方法】変更
【補正の内容】
【００１４】
また、請求項３の発明に係るＩＰ電話プログラムは、請求項２の発明において、前記所定の電話番号を前記ＩＰ電話サーバ装置のＩＰアドレスに置換するＩＰアドレス置換機能をさらに含み、前記地域特定情報送信機能は、前記ＩＰアドレス置換機能によって置換されたＩＰ電話サーバ装置のＩＰアドレスに前記地域特定情報を送信することを特徴とする。
【手続補正１５】
【補正対象書類名】明細書
【補正対象項目名】００１５
【補正方法】変更
【補正の内容】
【００１５】
この請求項３の発明によれば、所定の電話番号をＩＰ電話サーバ装置のＩＰアドレスに置換し、置換したＩＰアドレスに地域特定情報を送信することとしたので、ＩＰアドレスを用いてＩＰ電話サーバ装置に地域特定情報を送信することができる。
【手続補正１６】
【補正対象書類名】明細書
【補正対象項目名】００１６
【補正方法】変更
【補正の内容】
【００１６】
また、請求項５の発明に係るＩＰ電話サーバ接続装置は、請求項４の発明において、前記地域特定情報は、郵便番号であることを特徴とする。この請求項５の発明によれば、地域特定情報は、郵便番号であることとしたので、地域特定情報として誰もが容易に活用できる。
【手続補正１７】
【補正対象書類名】明細書
【補正対象項目名】００１７
【補正方法】変更
【補正の内容】
【００１７】
【発明の実施の形態】
以下に添付図面を参照して、この発明に係るＩＰ電話サーバ接続プログラム、ＩＰ電話プログラム、ＩＰ電話サーバ接続装置、ＩＰ電話装置、ＩＰ電話サーバ接続方法の好適な実施の形態を詳細に説明する。なお、下記に示す実施の形態１では、ＩＰ電話サーバ装置とＩＰ電話装置からなるＩＰ電話システムにおいて最寄の緊急電話に接続する場合について説明することとする。また、実施の形態２では、ＩＰ電話システムを実行するコンピュータシステムについて説明することとする。最後に、他の実施の形態として種々の変形例を説明する。
【手続補正１８】
【補正対象書類名】明細書
【補正対象項目名】００７７
【補正方法】変更
【補正の内容】
【００７７】
【発明の効果】
以上説明したように、請求項１、４、および７の発明によれば、接続要求のあったＩＰ電話装置の所在地を示す地域特定情報により、ＩＰ電話装置の所在地を特定する地域特定情報とＩＰアドレスとを対応付けた地域特定情報／ＩＰアドレス対応表を検索し、接続すべきＩＰ電話装置のＩＰアドレスを取得し、取得したＩＰアドレスを接続要求のあったＩＰ電話装置に送信するよう構成したので、発呼者の地域に対応する電話を選択し、接続することができるという効果を奏する。
【手続補正１９】
【補正対象書類名】明細書
【補正対象項目名】００７８
【補正方法】変更
【補正の内容】
【００７８】
また、請求項２の発明によれば、所定の電話番号が入力された場合に、ＩＰ電話サーバ装置へ自ＩＰ電話装置の所在地を示す地域特定情報を送信し、ＩＰ電話サーバ装置から受信したＩＰアドレスに接続要求するよう構成したので、所定の電話番号を入力すれば、発呼者の地域に対応する電話に接続することができるという効果を奏する。
【手続補正２０】
【補正対象書類名】明細書
【補正対象項目名】００７９
【補正方法】変更
【補正の内容】
【００７９】
また、請求項３の発明によれば、所定の電話番号をＩＰ電話サーバ装置のＩＰアドレスに置換し、置換したＩＰアドレスに地域特定情報を送信するよう構成したので、ＩＰアドレスを用いてＩＰ電話サーバ装置に地域特定情報を送信することができる。
【手続補正２１】
【補正対象書類名】明細書
【補正対象項目名】００８０
【補正方法】変更
【補正の内容】
【００８０】
また、請求項５の発明によれば、地域特定情報は、郵便番号であるよう構成したので、地域特定情報として誰もが容易に活用できるという効果を奏する。
【手続補正２２】
【補正対象書類名】明細書
【補正対象項目名】００８１
【補正方法】変更
【補正の内容】
【００８１】
また、請求項６の発明によれば、所定の電話番号が入力された場合に、ＩＰ電話サーバ装置へ自ＩＰ電話装置の所在地を示す地域特定情報を送信し、ＩＰ電話サーバ装置から受信したＩＰアドレスに接続要求するよう構成したので、所定の電話番号を入力すれば、発呼者の地域に対応する電話に接続することができるという効果を奏する。
【手続補正２３】
【補正対象書類名】図面
【補正対象項目名】図５
【補正方法】変更
【補正の内容】
【図５】
2004297611.tif 000001